(57)【要約】【課題】従来の給湯器を活用して浴室や台所における娯楽性を実現すること。【解決手段】給湯器の制御回路３または遠隔制御装置２に、ラジオ受信部４、５を搭載し遠隔制御装置２からラジオ放送が聞けるようにしている。また、様々な周波数のラジオ受信時の雑音発生に対し、雑音除去装置部１２の中に複数の雑音除去装置をの設け、有効な雑音除去装置に切り替えられるように構成している。【選択図】　図１
2004132641.tif 000002
【特許請求の範囲】
【請求項１】
機器を制御する機器制御部と、機器を操作する遠隔操作装置を有し、前記機器制御部にラジオ受信部を搭載した給湯器。
【請求項２】
機器を制御する機器制御部と、機器を操作する遠隔操作装置を有し、前記遠隔操作装置にラジオ受信部を搭載した給湯器。
【請求項３】
ラジオ受信部にて受信したラジオ放送信号を有線にて遠隔操作装置へ送信する請求項１記載の給湯器。
【請求項４】
ラジオ受信部にて受信したラジオ放送信号を無線にて遠隔操作装置へ送信する請求項１記載の給湯器。
【請求項５】
機器より送信されたラジオ信号または遠隔操作装置に搭載されたラジオ受信部にて受信されたラジオ信号を再生するスピーカ部を前記遠隔操作装置に搭載した請求項１または２記載の給湯器。
【請求項６】
雑音を除去する雑音除去装置を複数個備え、ラジオ受信時に雑音が入る場合、その受信周波数帯に有効な前記雑音除去装置を前記複数の雑音除去装置の中から選択する選択スイッチを設けた請求項１〜５のいずれか１項に記載の給湯器。
【請求項７】
選択スイッチを機器制御部に搭載した請求項６記載の給湯器。
【請求項８】
選択スイッチを遠隔操作装置に搭載した請求項６記載の給湯器。
【請求項９】
雑音を除去する雑音除去装置を複数個備え、ラジオ受信時に雑音が入る場合、受信している周波数を機器制御部にて判定し、その受信周波数帯に有効な雑音除去装置を自動的に前記複数個の雑音除去装置の中から選択する請求項１〜５のいずれか１項に記載の給湯器。
【発明の詳細な説明】
【０００１】
【発明の属する技術分野】
本発明は給湯器に関するものである。
【０００２】
【従来の技術】
従来の給湯器は、機器と遠隔操作装置との間では機器の操作および機器の状態の信号をやり取りするのみであった。また、機器搭載の雑音対策用の装置はある周波数帯に限定されたものであった。
【０００３】
【発明が解決しようとする課題】
しかしながら、上記従来の給湯器では浴室や台所での娯楽性に乏しかった。本発明は入浴中または台所仕事中に給湯機なる機器を介してラジオ放送が聞けて、娯楽性を向上すると共に、様々なラジオ放送局がある中で、その様々な周波数帯に対する雑音を防止することを目的としている。
【０００４】
【課題を解決するための手段】
本発明は上記課題を解決するために、機器を制御する機器制御部と、機器を操作する遠隔操作装置と、機器制御部に設けたラジオ受信部と、ラジオ信号を再生するスピーカ部と、雑音を除去する複数個の雑音除去装置とを備え、ラジオ受信時に雑音が入る場合、その受信周波数帯に有効な雑音除去装置を複数の雑音除去装置の中から選択する選択スイッチを設けたものである。
【０００５】
本発明によれば、入浴中または台所で仕事中にラジオ放送が機器を介して聞けて娯楽性を享受できると共に、しかも様々なラジオ放送局がある中で、その様々な周波数帯に対する雑音を除去したうえ聞くことが可能となる。
【０００６】
【発明の実施の形態】
請求項１に記載の発明は、機器を制御する機器制御部と、機器を操作する遠隔操作装置を有し、前記機器制御部にラジオ受信部を搭載することで、ラジオ信号が受信できる。
【０００７】
請求項２に記載の発明は機器を制御する機器制御部と、機器を操作する遠隔操作装置を有し、前記遠隔操作装置にラジオ受信部を搭載することで、ラジオ信号が受信できる。
【０００８】
請求項３に記載の発明は、ラジオ受信部にて受信したラジオ放送信号を有線にて遠隔操作装置へ送信することを特徴としている。
【０００９】
請求項４に記載の発明は、ラジオ受信部にて受信したラジオ放送信号を無線にて遠隔操作装置へ送信することを特徴としている。
【００１０】
請求項５に記載の発明は、機器より送信されたラジオ信号または、遠隔操作装置に搭載されたラジオ受信部にて受信されたラジオ信号を再生するスピーカ部を遠隔操作装置に搭載しラジオ放送を聞くことができる。
【００１１】
請求項６に記載の発明は、機器を制御する機器制御部と、機器を操作する遠隔操作装置と、前記機器制御部に機器よりの雑音および機器外部からの雑音に対する雑音除去装置を複数有し、ラジオ受信時にラジオ信号に雑音が入る場合その受信周波数帯に有効な雑音除去装置を前記複数個の雑音除去装置の中から選択できる選択スイッチを有することで、様々な周波数帯に対応できる。
【００１２】
請求項７に記載の発明は、前記選択スイッチを機器制御部に搭載している。
【００１３】
請求項８に記載の発明は、前記選択スイッチを遠隔操作装置に搭載している。
【００１４】
請求項９に記載の発明は、機器を制御する機器制御部と、機器を操作する遠隔操作装置と、前記機器制御部に機器よりの雑音および機器外部からの雑音に対する雑音除去装置を複数個有し、ラジオ受信時にラジオ信号に雑音が入る場合、受信している周波数を機器制御部にて判定し、その受信周波数帯に有効な雑音除去装置を自動的に前記複数個の雑音除去装置の中から選択する機能を有し、様々な周波数帯に対応できる。
【００１５】
【実施例】
以下、本発明の実施例について図面を用いて説明する。なお、実施例としての共通の構成要素を、図１に示した給湯器のブロック図及び図２に示した雑音除去装置の構成図に基づいて先に説明する。
【００１６】
図１において、１は機器本体、２は機器本体１を遠隔制御する遠隔制御装置、３は機器を制御する機器制御回路、４は機器制御回路３に接続したラジオ受信部、５は遠隔制御装置２に搭載したラジオ受信部、６は遠隔制御装置２に搭載したラジオスイッチ、７は遠隔制御装置２に搭載したスピーカ、８は遠隔制御装置２に搭載した表示部、９は機器本体１に接続した無線通信部、１０は遠隔制御装置２に搭載したラジオ選局スイッチ、１１は機器本体１への電源部入力部、１２は雑音除去装置部、１３は雑音除去装置部１２の切り替えスイッチ部、１４は遠隔制御装置２に搭載した雑音除去装置選択スイッチ、１５は機器制御回路３に接続した雑音除去装置選択スイッチである。
【００１７】
図２において、１６は雑音除去装置部１２に内臓された雑音除去装置、１７は切り替えスイッチ部に内臓された切り替え用スイッチである。
【００１８】
（実施例１）
遠隔制御装置２に搭載したラジオスイッチ６を“入り”にすると、機器制御回路３に接続したラジオ受信部４にて受信されたラジオ信号が、遠隔制御装置２と接続された有線ライン（または、機器本体１に接続した無線通信部９からの無線信号）を通じて遠隔制御装置２へ送信され、搭載したスピーカ７よりラジオ放送として再生される。なお、図中遠隔制御装置２は１台であるが、複数台であっても良い。
【００１９】
（実施例２）
遠隔制御装置２に搭載したラジオスイッチ６を“入り”にすると、遠隔制御装置２に搭載したラジオ受信部５にて受信されたラジオ信号が、搭載したスピーカ７よりラジオ放送として再生される。なお、図中遠隔制御装置２は１台であるが、複数台であっても良い。
【００２０】
（実施例３）
雑音発生源となるラインに挿入された雑音除去装置部１２内の複数の雑音除去装置１６を、受信しているラジオの周波数帯にあわせて雑音除去装置選択スイッチ１４（または１５）を操作することで、切り替えスイッチ部１３内の切り替え用スイッチ１７を任意に切り替えでき雑音除去を有効にする。
【００２１】
なお、雑音発生源となるラインは、図では電源ラインとして示しているがその他の信号の場合も同様である。
【００２２】
（実施例４）
受信しているラジオの周波数帯を機器制御回路３が判定し、自動的に切り替えスイッチ部１３内の切り替え用スイッチ１７を操作して、　雑音発生源となるラインに挿入された雑音除去装置部部１２内の複数の雑音除去装置１６から、最適なものを選択して雑音除去を有効にする。なお、本実施例においても、雑音発生源となるラインは図では電源ラインとして示しているが、その他の信号の場合も同様である。
【００２３】
【発明の効果】
以上の説明から明かのように、本発明の給湯器によれば、入浴中または台所仕事中にラジオ放送が機器を介して手軽に聞くことが可能となり、しかも、様々なラジオ放送局がある中で、その様々な周波数帯に対する雑音を除去して聞くことができる。
【図面の簡単な説明】
【図１】本発明の実施例における給湯器の構成図
【図２】同給湯器の雑音除去装置を示す構成図
【符号の説明】
１　機器本体
２　遠隔制御装置
３　機器制御回路
４、５　ラジオ受信部
６　ラジオスイッチ
１２　雑音除去装置部
１３　切り替えスイッチ部
１４、１５　選択スイッチ
【図１】
2004132641.tif 000003
【図２】
2004132641.tif 000004